(57)【要約】【課題】少ない部品点数で作業性よく施工できるとともに、意匠性に優れた金属サイディングの取付構造を提供する。【解決手段】キャップ部１１と係止部１２とを有するジョイナ１と、該係止部１２を受ける嵌合部２１を備えた胴縁２とからなる金属サイディングの取付構造であって、上記キャップ部１１の略中央には相対向する一対の係止片１２ａ、１２ｂからなる係止部１２が長手方向に垂設され、上記嵌合部２１の底部略中央には係合凸部２２が設けられるとともに、この係合凸部２２は上記一対の係止片１２ａ、１２ｂによって弾性的に挟持され、上記嵌合部２１の両側壁および底部とによって一対の嵌合溝部２１ａ、２１ｂを形成することを特徴とする。【選択図】図１
2005090147.tif 000002
【特許請求の範囲】
【請求項１】
キャップ部と係止部とを有するジョイナと、該係止部を受ける嵌合部を備えた胴縁とからなる金属サイディングの取付構造であって、上記キャップ部の略中央には相対向する一対の係止片からなる係止部が長手方向に垂設され、上記嵌合部の底部略中央には係合凸部が設けられるとともに、この係合凸部は上記一対の係止片によって弾性的に挟持され、上記嵌合部の両側壁および底部とによって一対の嵌合溝部を形成することを特徴とする金属サイディングの取付構造。
【請求項２】
上記一対の係止片の先端部を互いに反対方向に折り曲げてフック状先端部とするとともに、該フック状先端部が上記一対の嵌合溝部によって係止される請求項１に記載の金属サイディングの取付構造。
【請求項３】
上記ジョイナが、弾性を有する金属板を曲げ加工して形成されたものである請求項１に記載の金属サイディングの取付構造。
【請求項４】
上記胴縁が合成樹脂成形品である請求項１に記載の金属サイディングの取付構造。
【請求項５】
上記キャップ部が出隅に対応するように直角コーナー部を有するとともに、上記胴縁が出隅を構成する請求項１に記載の金属サイディングの取付構造。
【発明の詳細な説明】
【技術分野】
【０００１】
本発明は、金属サイディングの取付構造に関する。さらに詳しくは、建物の外壁に壁パネルとして用いられる金属サイディングの取付構造に関する。
【背景技術】
【０００２】
建物等の外装に用いられる金属サイディングは、化粧された亜鉛めっき鋼板やステンレス板等の裏面にロックウール等の断熱材を装着、一体化して形成され、通常、建物等の外壁に、種々の取付構造を用いて取付けられている。
【特許文献１】特開平１０−２９２５３１号公報（第１−４頁、第２図、第３図）
【特許文献２】特開平１０−２４５９６０号公報（第１−３頁、第１〜３図）
【０００３】
上記取付構造の一例としては、通常、木製の胴縁に嵌合部を有するメス型の金属製受け部材を取付け、上記嵌合部を中央にして隣り合う金属サイディングを張り付けた後、オス型構造のジョイナの係止部を上記嵌合部に嵌合する構造が知られている。このとき、雨水等の浸入を防止するため、受け部材と金属サイディングとの隙間をコーキング材で塞ぎ、あるいは、ジョイナのキャップ部と金属サイディングとの間に止水材を介装する等の処置が施される。
【発明の開示】
【発明が解決しようとする課題】
【０００４】
上記したように、従来の技術においては、別部材としたジョイナ装着用の受け部材を胴縁の上に取付ける必要があるとともに、上記ジョイナと金属サイディングとの接合部からの雨水等、水の浸入を防止するため、コーキング材の充填や止水材の施工等を行なわねばならず、部品点数が増加し、繁雑な作業を必要とする。本発明は、このような問題を解決して、少ない部品点数で作業性よく施工できるとともに、意匠性に優れた金属サイディングの取付構造を提供することを、その課題とする。
【課題を解決するための手段】
【０００５】
本発明は、上記課題を解決するために考え出されたものであって、つぎのような技術的手段を講じている。すなわち、本発明によれば、キャップ部と係止部とを有するジョイナと、該係止部を受ける嵌合部を備えた胴縁とからなる金属サイディングの取付構造であって、上記キャップ部の略中央には相対向する一対の係止片からなる係止部が長手方向に垂設され、上記嵌合部の底部略中央には係合凸部が設けられるとともに、この係合凸部は上記一対の係止片によって弾性的に挟持され、上記嵌合部の両側壁および底部とによって一対の嵌合溝部を形成することを特徴とする金属サイディングの取付構造が提供される。
【０００６】
上記一対の係止片の先端部を互いに反対方向に折り曲げてフック状先端部とするとともに、該フック状先端部が上記一対の嵌合溝部によって係止されることが好ましい。
【０００７】
上記ジョイナが弾性を有する金属板を曲げ加工して形成されることが好ましい。上記金属板としては、被覆鋼板、ステンレススチール等が好適に用いられる。
【０００８】
上記胴縁が合成樹脂成形品であることが好ましい。例えば、塩化ビニル、硬質発泡ウレタンフォーム等の合成樹脂を押出し成形したものが好適に用いられる。
【０００９】
上記キャップ部が出隅に対応するように直角コーナー部を有するとともに、上記胴縁で出隅を構成することによって、出隅部にも適用可能な金属サイディングの取付構造とすることができる。
【発明の効果】
【００１０】
請求項１に記載の発明は上記のとおりであり、とくに、胴縁に設けられた嵌合部の底部略中央には係合凸部が設けられるとともに、この係合凸部はジョイナのキャップ部に垂設された一対の係止片によって弾性的に挟持され、かつ、上記嵌合部の両側壁と底部とによって一対の嵌合溝部を形成するため、胴縁が受け部材を兼ねて、少ない部品点数で作業性よく施工でき、また、意匠性に優れた金属サイディングの取付構造とすることができる。
【００１１】
上記一対の係止片の先端部を互いに反対方向に折り曲げてフック状先端部とするとともに、該フック状先端部が上記一対の嵌合溝部によって係止されるため、
隣り合う金属サイディングの継目が、ジョイナによってしっかりとカバーされる。
【００１２】
上記ジョイナが、弾性を有する金属板を曲げ加工して形成されたものであるため、バネ弾性を有する一対の係止片が上記係合凸部を弾性的に挟持することができる。また、上記胴縁が合成樹脂成形品であるため、寸法安定性に優れ、耐水性、耐久性等にも優れたものとすることができる。
【００１３】
上記キャップ部が出隅に対応するように直角コーナー部を有するとともに、上記胴縁が出隅を構成するため、外壁の平面部のみならず、出隅部にも適用できる。
【発明を実施するための最良の形態】
【００１４】
以下、本発明の実施形態について図面を参照して、詳細に説明する。図１は、本発明にかかる金属サイディングの取付構造Ａを示す斜視図である。図１において、上記取付構造Ａは、ステンレススチール等、弾性を有する金属板を曲げ加工して形成されたジョイナ１と、合成樹脂を押出し成形して得られた胴縁２とから構成されている。図１からよくわかるように、ジョイナ１におけるキャップ部１１の略中央には相対向する一対の係止片１２ａ、１２ｂからなる係止部１２が垂設され、胴縁２には嵌合部２１が凹設されるとともに、この嵌合部２１の底部略中央には係合凸部２２が設けられている。この係合凸部２２は、上記係止部１２によって挟持されるとともに、嵌合部２１の両側側壁および底部とで嵌合溝部２１ａ、２１ｂを形成する。また、係止片１２ａ、１２ｂの先端部は反対方向に折り曲げられ、上記嵌合溝部２１ａに係止するフック状先端部１３ａと、嵌合溝部２１ｂに係止するフック状先端部１３ｂとされている。さらに、キャップ部１１と金属サイディング４との間には、軟質発泡ウレタンからなる止水材３が介装されている。
【００１５】
図２は、図１に示す金属サイディングの取付構造Ａを用いて金属サイディング４を建物の外壁に取付けた状態を示す説明図である。図２からよくわかるように、係止片１２ａ、１２ｂからなる係止部１２は、バネ弾性を有しているため、係合凸部２２を弾性的に挟持するとともに、フック状先端部１３ａ、１３ｂが、胴縁２に凹設された嵌合部２１の嵌合溝部２１ａ、２１ｂに弾性係止する。その結果、隣り合う金属サイディング４の継目がジョイナ１で意匠性よくしっかりとカバーされるとともに、止水材３が上記金属サイディング４の接合部から雨水等が浸入することを防ぐ。
【００１６】
図３は、ジョイナ５のキャップ部５１が出隅に対応するように直角コーナー部を有するとともに、胴縁６が出隅を構成する金属サイディングの取付構造Ｂの実施形態において、金属サイディング４を出隅に取付けた状態を示す説明図である。図３からよくわかるように、係止片５２ａ、５２ｂからなる係止部５２は、バネ弾性を有しているため、係合凸部６２を弾性的に挟持するとともに、フック状先端部５３ａ、５３ｂが、胴縁２に凹設された嵌合部６１の嵌合溝部６１ａ、６１ｂに弾性係止する。その結果、出隅において隣り合う金属サイディング４の継目がジョイナ５で意匠性よく、しっかりとカバーされるとともに、止水材３が上記金属サイディング４の接合部から雨水等が浸入することを防ぐ。
【００１７】
以上、本発明の金属サイディングの取付構造を平面部および出隅部において適用する実施形態について説明したが、これに限定されず、キャップ部の角度および胴縁の出隅角度を変化させることによって、種々の角度を持つ出隅部に対応することも可能である。また、ジョイナのコーナー部を曲面とすることにより、出隅に丸みを持たせることも可能であり、上記実施形態に限定されることなく、本発明の特許請求の範囲と実質上同一の構成を有し、同一の作用効果を奏するものはすべて本発明の技術的範囲に含まれる。
【図面の簡単な説明】
【００１８】
【図１】本発明にかかる金属サイディングの取付構造を示す斜視図である。
【図２】上記取付構造を用いて金属サイディングを外壁に取付けた状態を示す説明図である。
【図３】本発明にかかる金属サイディングの取付構造を出隅部に適用した形態を示す説明図である。
【符号の説明】
【００１９】
Ａ              本発明にかかる金属サイディングの取付構造
１              ジョイナ
１１            キャップ部
１２            係止部
１２ａ、１２ｂ  係止片
１３ａ、１３ｂ  フック状先端部
２              胴縁
２１            嵌合部
２１ａ、２１ｂ  嵌合溝部
２２            係合凸部
３              止水材
４              金属サイディング
Ｂ              本発明にかかる金属サイディングの取付構造の他の実施形態                  
５              出隅用ジョイナ
５１            直角コーナー部を有するキャップ部
５２            係止部
５２ａ、５２ｂ  係止片
５３ａ、５３ｂ  フック状先端部
６              胴縁（出隅）
６１            嵌合部
６１ａ、６１ｂ  嵌合溝部
６２            係合凸部
【図１】
2005090147.tif 000003
【図２】
2005090147.tif 000004
【図３】
2005090147.tif 000005